(57)【要約】  本発明は、衛生器具、好ましくはトイレの便器の壁面上に付着性組成物を塗付するための可溶性アプリケーターに関する。本発明は、単糖もしくは二糖系成分、糖アルコール、ポリアミド樹脂混合物、可溶性ポリマーもしくは可溶性ゲル化剤またはそれらの混合物から選択される少なくとも１種の材料を含んでもよい可溶性アプリケーター、そのようなアプリケーターを含む衛生製品、及びその製造方法に関する。
2016517282.tif 000002
【特許請求の範囲】
【請求項１】
付着性組成物、好ましくは洗浄剤組成物用の可溶性アプリケーター（１）。
【請求項２】
単糖もしくは二糖系成分、糖アルコール、ポリアミド樹脂混合物、可溶性ポリマーもしくは可溶性ゲル化剤またはそれらの混合物から選択される少なくとも１種の材料を含む、請求項１に記載の可溶性アプリケーター。
【請求項３】
グルコース、スクロース、フルクトース、マルチトール、イソマルト、ポリアクリルアミド、ポリアクリル酸ポリマー、ポリビニルピロリドン（ＰＶＰ）、ポリビニルアルコール（ＰＶＡ）、部分的に加水分解されたポリ酢酸ビニル、ポリイソシアネート、ポリジアリルジメチルアンモニウムクロリド（ポリＤＡＤＭＡＣ）、ポリエチレングリコール（ＰＥＧ）、寒天ゲル、アルギン酸塩、ゴムまたはゼラチンから選択される材料の１種または混合物で形成される、請求項１または請求項２のいずれか一項に記載の可溶性アプリケーター。
【請求項４】
ポリビニルアルコール、ポリアミド、グルコースまたはスクロースから選択される同一の材料から実質的になる、請求項１〜請求項３のいずれかに記載の可溶性アプリケーター。
【請求項５】
握持部部分（２１）を更に含む、請求項１〜請求項４のいずれか一項に記載の可溶性アプリケーター。
【請求項６】
前記アプリケーター（１）からの前記握持部部分（２１）の破断を可能にする分割ライン（２２）を含む、請求項５に記載の可溶性アプリケーター。
【請求項７】
放射状に配向された少なくとも２つの湾曲アーム（３）を含む、請求項１〜請求項６のいずれか一項に記載の可溶性アプリケーター。
【請求項８】
７を超える、好ましくは９を超える、より好ましくは１１を超えるテクスチャープロファイル硬度を示す、請求項１〜請求項７のいずれか一項に記載の可溶性アプリケーター。
【請求項９】
７０フラッシュ未満、好ましくは６０フラッシュ未満、より好ましくは５０フラッシュ未満で、トイレの便器内で完全に溶解する、請求項１〜請求項８のいずれか一項に記載の可溶性アプリケーター。
【請求項１０】
前記アプリケーターの総重量の０〜２０重量％、好ましくは１〜５重量％の量で、消毒剤、殺虫剤、酵素、着色粒子、保存剤、殺生物剤、抗石灰スケール、染料、着色剤および／または抗菌剤等の添加剤をその中に更に含む、請求項１〜請求項９のいずれか一項に記載の可溶性アプリケーター。
【請求項１１】
前記総重量アプリケーターの１〜２５重量％、好ましくは１〜２０重量％の量で、香料を更に含む、請求項１〜請求項１０のいずれか一項に記載の可溶性アプリケーター。
【請求項１２】
請求項１〜請求項１１のいずれか一項の可溶性アプリケーター（１）に取り付けられた付着性単位組成物、好ましくは付着性洗浄性単位組成物を含む付着性製品。
【請求項１３】
前記アプリケーターの少なくとも一部が前記付着性単位組成物に埋めこまれる、請求項１２に記載の付着性製品。
【請求項１４】
その一方の面上に、前記付着性組成物上にある剥離可能膜を更に含む、請求項１２〜請求項１３のいずれか一項に記載の付着性製品。
【請求項１５】
（ａ）前記成分の混合を溶媒または溶媒の混合物に混合すること、
（ｂ）前記溶媒の少なくとも一部を除去して、得られた形状物を硬化させることおよび
（ｃ）得られたペーストを所望の形状に成形することを含む請求項１〜請求項１１のいずれか一項に記載の可溶性アプリケーターの製造方法。
【請求項１６】
付着剤組成物用、好ましくは衛生付着性洗浄剤組成物用のアプリケーターを製造するための単糖もしくは二糖系成分、糖アルコール、ポリアミド樹脂混合物、ポリビニルアルコール、寒天ゲルまたはゼラチンゲルから選択される１つまたはいくつかの材料の使用。
【請求項１７】
衛生器具、好ましくはトイレの便器内への請求項１〜請求項１１のいずれか一項に記載の可溶性アプリケーターの使用。
【請求項１８】
衛生器具、好ましくはトイレの便器の洗浄、消毒および／または脱臭を行うための請求項１２〜請求項１４のいずれか一項に記載の前記付着性製品の使用。
【発明の詳細な説明】
【技術分野】
【０００１】
本発明は、衛生器具、とりわけトイレを洗浄および／または消毒および／または脱臭するための衛生組成物に関する。本発明は、衛生器具上への付着性製品の適用、好ましくは洗浄剤組成物の適用に特に関する。
【背景技術】
【０００２】
衛生器具、とりわけトイレを洗浄および／または消毒および／または脱臭するための方案はいくつか存在する。第１の方案は、ケージ内に配置されるブロックにあった。
【０００３】
本技術分野において、衛生器具の壁面に直接適用され得る付着性洗浄剤組成物も知られている。それら付着性洗浄剤組成物は、衛生器具の壁面上、例えばトイレの陶器部分の壁面上に適用される固体、半固体またはゲル状の物質に相当する。これら組成物は、洗浄および／または消毒および／または脱臭力を有し、組成物が付着する壁面からフラッシュ（ｆｌｕｓｈ）によって断続的に洗い流される。
【０００４】
しかし、不快感および／または化学的汚染を引き起こす可能性がある洗浄剤組成物が、利用者の手に接触することを防ぐことが望ましい。したがって、製品を取扱い、衛生器具に配置及び付着させる際のあらゆる直接接触を防ぐために、種々のアプリケーター器具が開発されてきた。
【０００５】
例えば、国際公開第２００７／００８５３１号明細書では、管状体と吸引具とを含む器具が開示されている。利用者が吸引具を器具本体へ移動させると、器具本体の内部に含まれる流動性の洗浄剤材料が、設定された使用量でオリフィスを通じて表面に分注される。しかし、この種のアプリケーターは製造するには複雑であり、使用量を適用するために、長期間にわたり同じ器具が数回使用され衛生器具の壁面に適用されるため、非衛生的である場合がある。
【０００６】
以後、衛生用品上に付着性洗浄剤組成物を適用するために、簡素化されたアプリケーターが開示されてきた。
【０００７】
国際公開第２０１１／１３５３３０号明細書において、付着性組成物は空洞内に含まれ、空洞内にはまる可動ピストンによって衛生器具の壁面に適用される。しかしながら、この方案は、器具が複雑な形状を有し、握持部を製造するためにプラスチック等の材料を大量に必要とするので、同様の制約を有する。更に、器具は数回の適用を行うために再利用されることが意図されている。
【０００８】
欧州特許第２１４１２２１号明細書では、付着性で予め成形された洗浄剤製品が開示されており、可撓なまたは堅固な材料から作製された格納部分の内部に格納される。そのような部分を使用することで、洗浄剤組成物と利用者とのあらゆる直接接触を防ぎつつ、予め成形された洗浄剤製品を衛生器具の表面上に直接付着させる。しかし、洗浄剤組成物に水を接触させるために、適用後にその格納部分を除去することが依然として必要である。この文献の図７ａ〜ｄは、付着性洗浄性製品の塗付方法を表し、利用者が器具を両手で操作し、格納部分を掴み、除去することを示す。
【０００９】
他のアプリケーターが、欧州特許出願第２２８１７５６号明細書等において開示されてきた。そこで開示されている器具は変形可能で圧搾可能な容器を含み、この容器により、付着性洗浄性製品が成形ユニット内の出口を通じて、便器の壁面上に分注される。この種のアプリケーターでは、製品の使用後に除去されなければならない支持体が必要とされなくなるが、環境上の問題に伴い、アプリケーター自体は適用後に除去されることが依然として必要である。
【００１０】
国際公開第２００８／１００３９３号明細書では洗浄性及び付着性の組成物が提供され、この組成物は、組成物の使用前に共に除去する必要がある２つの固体基板の間に位置する。第１の基板を除去することで、付着性組成物をトイレの壁面上へ直接適用する。しかし、製品を実際に使用するには、製品を適用後にトイレの便器内へ移動させ、第２の基板を除去することが依然として必要である。この種の製品も、更なる使い捨て可能な材料の使用につながる。
【発明の概要】
【発明が解決しようとする課題】
【００１１】
出願人は、驚くべきことに、本発明に係る製品によって従来技術における欠点が解決され得ることを見出した。本発明に係るアプリケーターおよび製品は、環境にやさしく、製造することが容易であらゆる利用者にとって安全であることが分かった。利用者は、化学的汚染のあらゆる危険性を伴うことなく本発明に係るアプリケーターおよび製品を安全に扱うことができ、本発明に係るアプリケーターおよび製品は、衛生器具上に片手で組成物を付着させる際の力に耐えるものである。付着性組成物を器具上に適用した後で利用者がアプリケーターを除去する必要もなく、このことにより製品の利用が著しく簡素化される。また、本発明に係るアプリケーターによって、衛生器具内へと利用される組成物の形成が簡素化される。
【課題を解決するための手段】
【００１２】
本発明の第１の態様は、付着性組成物、好ましくは洗浄剤組成物のための可溶性アプリケーター（１）に関する。
【００１３】
本発明の一実施形態によれば、可溶性アプリケーターは、グルコース系成分、ポリアミド樹脂混合物、可溶性ポリマーもしくは可溶性ゲル化剤またはそれらの混合物から選択される少なくとも１種の材料を含む。
【００１４】
本発明の一実施形態によれば、可溶性アプリケーターは、グルコース、スクロース、ポリアクリルアミド、ポリアクリル酸ポリマー、ポリビニルピロリドン（ＰＶＰ）、ポリビニルアルコール（ＰＶＡ）、部分的に加水分解されたポリ酢酸ビニル、ポリイソシアネート、ポリジアリルジメチルアンモニウムクロリド（ポリＤＡＤＭＡＣ）、ポリエチレングリコール（ＰＥＧ）、寒天ゲル、アルギン酸塩、ゴムまたはゼラチンから選択される材料の１種または混合物で形成される。
【００１５】
本発明の一実施形態によれば、可溶性アプリケーターは、ポリビニルアルコール、ポリアミド、グルコースまたはスクロースから選択される同一の材料から実質的になる。
【００１６】
本発明の一実施形態によれば、可溶性アプリケーターは、握持部（２１）を更に含む。
【００１７】
本発明の一実施形態によれば、可溶性アプリケーターは、アプリケーター（１）から握持部（２１）を破断できるようにする分割ライン（２２）を含む。
【００１８】
本発明の一実施形態によれば、可溶性アプリケーターは、放射状に配向された少なくとも２つの湾曲アーム（３）を含む。
【００１９】
本発明の一実施形態によれば、可溶性アプリケーターは、７を超える、好ましくは９を超える、より好ましくは１１を超えるテクスチャープロファイル硬度を示す。
【００２０】
本発明の一実施形態によれば、可溶性アプリケーターは、７０フラッシュ未満、好ましくは６０フラッシュ未満、より好ましくは５０フラッシュ未満で、トイレの便器内で完全に溶解する。
【００２１】
本発明の一実施形態によれば、可溶性アプリケーターは、消毒剤、殺虫剤、酵素、着色粒子、保存剤、殺生物剤、抗石灰スケール、染料、着色剤および／または抗菌剤等の添加剤を、アプリケーターの総重量の０〜２０重量％、好ましくは１〜５重量％の量で更に含む。
【００２２】
本発明の一実施形態によれば、請求項１〜請求項１０のいずれか一項に記載の可溶性アプリケーターは、アプリケーター総重量の１〜２５重量％、好ましくは１〜２０重量％の量で香料を更に含む。
【００２３】
本発明の別の態様は、本発明によって定義される可溶性アプリケーター（１）に取り付けられる、付着性単位組成物、好ましくは付着性洗浄剤単位組成物を含む付着性製品に関する。
【００２４】
本発明の一実施形態によれば、付着剤のアプリケーターの少なくとも一部が付着性単位組成物に埋めこまれる。
【００２５】
本発明の一実施形態によれば、付着剤は、その側面のうちの一方の面上に剥離可能膜を更に含む。
【００２６】
本発明の別の態様は、（ａ）成分の混合を溶媒または溶媒の混合物に混合すること、（ｂ）溶媒の少なくとも一部を除去して、得られた形状物を硬化させること、および（ｃ）得られたペーストを所望の形状に成形することを含む、可溶性アプリケーターの製造方法に関する。
【００２７】
本発明の別の態様は、衛生器具、好ましくはトイレの便器内への、洗浄、消毒および／または脱臭組成物を伴う可溶性アプリケーターの使用に関する。
【００２８】
本発明の別の態様は、付着性組成物用の、好ましくは衛生付着性洗浄剤組成物用のアプリケーターを製造するために、糖、ポリアミド樹脂混合物、ポリビニルアルコール、寒天ゲルまたはゼラチンゲルから選択される１つまたは複数の材料を使用することに関する。
【００２９】
本発明の別の態様は、衛生器具、好ましくはトイレの便器内へ、可溶性アプリケーターを使用することに関する。
【００３０】
本発明の別の態様は、衛生器具、好ましくはトイレの便器を洗浄、消毒および／または脱臭するために付着性製品を使用することに関する。
【図面の簡単な説明】
【００３１】
【図１】図１は、本発明に係る様々な形状のアプリケーターを表す。
【図２】図２は、本発明に係る様々な形状のアプリケーターを表す。
【図３】図３は、本発明に係る様々な形状のアプリケーターを表す。
【図４】図４は、本発明に係る様々な形状のアプリケーターを表す。
【図５】図５は、本発明に係る様々な形状のアプリケーターを表す。
【図６】図６は、本発明に係る様々な形状のアプリケーターを表す。
【発明を実施するための形態】
【００３２】
以下、本発明をより詳細に開示する。
【００３３】
典型的には、本発明に係るアプリケーターは、室温で固体（液体状態と反対）であるが、水に、すなわち冷水に可溶な材料で作製される。典型的には、その材料は、２０℃の水に対して少なくとも約１００ｇ／Ｌの溶解度を示す。
【００３４】
したがって、当業者は、本発明に係るアプリケーターに有用な材料が下記のカテゴリーの可溶性材料又はそれらの混合物のそれぞれであってもよいことを理解するであろう。
ａ）スクロース等のように高粘度を示すシロップを含む、グルコース、スクロース、又はフルクトース等の単糖又は二糖系成分、またはその混合物。
ｂ）イソマルトやマルチトール等の糖アルコール。
ｃ）例えば、ポリアミド樹脂またはポリアクリルアミドのような可溶性樹脂。市販されている入手可能なポリアミド樹脂の例としては、Ａｒｉｚｏｎａ  Ｃｈｅｍｉｃａｌによって市販されているＳｙｌｖａｇｅｌ（登録商標）グレードが挙げられる。
ｄ）例えば、ポリアクリル酸ポリマー、ポリビニルピロリドン（ＰＶＰ）ポリビニルアルコール（ＰＶＡ）、部分的に加水分解されたポリ酢酸ビニル、ポリイソシアネート、ポリジアリルジメチルアンモニウムクロリド（ポリＤＡＤＭＡＣ）またはポリエチレングリコール（ＰＥＧ）のような可溶性プラスチック。可溶性プラスチックの適切な例としては、Ｍｏｎｏｓｏｌ（登録商標）で市販されているものが挙げられる。
ｅ）寒天、ゴム、アルギン酸塩、又はゼラチン等の可溶性ゲル化剤。
【００３５】
好ましい剤は、スクロース、イソマルト、ＰＶＡまたはそれらの混合物である。この種の材料を用いることによって、製造コストが最低に保たれる。
【００３６】
本発明の中で、「単糖系成分」という用語は、基本的な化学式がＣｘＨ２ｘＯｘである単糖要素を含む成分であると解釈されるべきものであり、式中、ｘは、通常は３以上の整数であり、典型的には３〜８の間の整数である。適切な単糖系材料の例としては、グルコース（デキストロース）、フルクトース（レブロース）またはガラクトースが挙げられる。二糖は、２つの単糖要素から形成される。
【００３７】
本発明の中で、「糖アルコール」という用語は、単糖系成分のカルボニル基がヒドロキシル基に置換された水素化体であると解釈されるべきものである。それらは、一般式Ｈ（ＨＣＨＯ）ｎ＋１Ｈを有し、ポリオールとも称される。適切な糖アルコールの例としては、ソルビトール、マンニトール、マルチトールまたはイソマルトが挙げられる。
【００３８】
本発明の一実施形態によれば、実質的に一種の材料からなるアプリケーターを提供することが現在可能である。本開示において、「実質的になる」という用語は、あらゆる成分または成分の混合物を除外することを意味する。典型的には、この用語は、アプリケーターの組成物の少なくとも９８％ｗ／ｗ、好ましくは少なくとも９９％ｗ／ｗ、より好ましくは少なくとも９９．５％ｗ／ｗが同一の材料で形成されていることを規定する。
【００３９】
本発明に係るアプリケーターは、単一の形成材料から形成され得るが、添加剤、すなわち処理または配合添加剤を含んでもよい。本願での意味において、添加剤は、例えば、消毒剤、殺虫剤、酵素、着色ＰＥＴ又はＰＰ等の粒子、保存剤、殺生物剤、抗石灰スケールを意味し、染料若しくは着色剤および／または抗菌剤をも意味する。添加剤の総量は、概して、アプリケーターの総重量の０％〜２０％、好ましくは約１％〜２０％、より好ましくは約１％〜５％の範囲内である。
【００４０】
本発明に係るアプリケーターは、更に香料を含むことができる。適切な香料は、例えば、参照により本明細書に組み込まれる米国特許出願第２００８／０２５５０１７号明細書の段落００６４に開示されている。芳香剤は、花の香、果物、香辛料等に基づくことができる。香料は、天然由来であることができるか、または合成することができる。それは、概して、総アプリケーターの０．１重量％〜２５重量％、好ましくは１重量％〜２０重量％の量で存在する。香料をアプリケーター内に直接添加することは、香料が付着性組成物中、すなわち洗浄剤組成物中に取り込まれると、付着性組成物の挙動および性質を変化させることがあるので、特に有用である。衛生製品の他の要素に香料を添加することによって、付着性組成物の形成が簡素化される。
【００４１】
アプリケーターは、次第に溶解し、その上に流れる水によって消失する。それをトイレの便器内で使用するために、アプリケーターは、７０フラッシュ未満、好ましくは６０フラッシュ未満、より好ましくは５０フラッシュ未満で消失することが有利である。家庭で使用される場合、特に大家族において、この数のフラッシュは速やかに達成され、迅速にかつ簡便にアプリケーターが消失する。
【００４２】
本発明に係るアプリケーターは、使用量の洗浄剤よりかなり速く消失することができる。本分野では、透明または美的な洗浄剤組成物が通常開発され、検討されるので、アプリケーターは、これらの組成物の視覚的側面を変化させない。
【００４３】
本発明のアプリケーターは、ロゼット形状や種々の視覚的側面等の各種形状を有することができる。アプリケーターの組成物に導入される入手可能な材料によって、製品の視覚的側面を容易に適応させ、利用者に種々の形状を提供することを可能にする。
【００４４】
図１〜４は、本発明に係るアプリケーターの形状の例を表す。図１、２、４および５は、典型的な円形のアプリケーターを表す。図３は、放射状に配向されたアームを有する典型的なロゼット形状のアプリケーターを表す。図６は、プラットフォームが異なる形状である例を表す。当業者は、他の種々の形状を想定することができる。
【００４５】
アプリケーターの大きさおよび厚さは、衛生器具の壁面上に付着性製品を定着させる際に利用者が加える圧力に起因する著しい機械的な力に耐える程度のものである。典型的には、この力は約２５Ｎに相当する。典型的には、アプリケーターの厚さは、約０．６〜１６ｍｍ、好ましくは約２〜１０ｍｍの範囲内である。
【００４６】
アプリケーターの組成物が少なくとも１種のスクロース成分を基礎とする場合、製品の硬度は、食品産業で従来用いられる尺度を用いて測定することができるが、この分野は本発明の分野からほど遠いままである（例えば、Ｓｅｎｓｏｒｙ  Ｅｖａｌｕａｔｉｏｎ  ｏｆ  Ｆｏｏｄ，Ｐｒｉｎｃｉｐｌｅｓ  ａｎｄ  Ｐｒａｃｔｉｃｅｓ，Ｈａｒｒｙ  Ｔ  Ｌａｗｌｅｓｓ  ＆  Ｈｉｌｄｅｇａｒｄｅ  Ｈｅｙｍａｎｎ  （１９９８）。典型的には、本発明に係るアプリケーターは、７を超える、好ましくは９を超える、最も好ましくは１１を超えるテクスチャープロファイル硬度を示す。
【００４７】
アプリケーターは、使用量の洗浄剤とは別に提供することができるか、または、有利にはこれと組み合わせて、すぐに使える製品とすることができる。この第２の代替案によって、利用者は組成物および衛生器具に接触することなく、洗浄剤組成物を取り衛生表面上に直接適用することが可能となる。本発明に係るアプリケーターは、直感的に及び容易に、操作および使用される。それらは、片手だけで適用することができる。
【００４８】
好ましい実施形態によれば、アプリケーターは、利用者が指でつかんで扱うことができる突起部または握持部が形成されるように、成形される。そのような握持部部分の例は、図１〜４の番号２１で表される。握持部自体は、図１および４に表されるように種々の形状を有してもよい。典型的には、握持部部分は、その操作を可能にする大きさを有する。図５および６の例は、種々の形状を有する握持部部分を表す。適切な長さは、例えば、５〜２５ｍｍの間、好ましくは１０〜２０ｍｍの間であってもよい。
【００４９】
別の実施形態によれば、外観美を向上させるために、製品を衛生器具の壁面上に配置及び定着させたのち、アプリケーターを製品の残余部分から切り離せるようにすることは有用であろう。特に、利用者は、衛生器具の壁面上に製品を定着させた後、すなわちねじることによってアプリケーターから握持部を破断することができる。これは、アプリケーターの握持部の部分上に分割ラインを提供するか、またはアプリケーターの残余部分と比較して弱い耐性を示す部分を設計することによってなされ得るだろう。例えば、図４において表されるアプリケーターはその部分の長さ方向に沿って異なる幅である握持部を含み、アプリケーターの残余部分に取り付けられている箇所での握持部の分離を容易にする。当業者は、異なるデザインを想定することもできる。
【００５０】
アプリケーターの形は、付着性組成物の内面および外面を完全に覆わず、製品を壁面上に適用した際に、一方で組成物の一部が衛生壁面の表面に付着し、他方で組成物が水に接触することを可能にするものである。
【００５１】
典型的には、アプリケーターは、付着性組成物が中に配置される２つの端部で開口する空洞を形成してもよく、付着性組成物がその上に配置されるプラットフォームを形成してもよい。別の好ましい実施形態によれば、アプリケーターは、同様の半球形状で中心点から放射状に配向された湾曲アームを含む。それにより、湾曲アームは、付着性組成物を含むことができる空洞を形成する。
【００５２】
図面は、本発明に係るアプリケーターの例を表す。図１において、アプリケーターは、（握持部（２１）を含む側の反対側に）付着性組成物が配置されたプラットフォームの形状を有する。したがって、組成物の表面が衛生器具の壁面に付着することが可能となるが、同時に、組成物の厚さは、製品を塗付した後で流水に接触可能なままである。図２および３は、６つの湾曲したアーム（３）と握持部（２１）とを含む本発明に係るアプリケーターを表す。アームは、互いに接続することが可能であるか、または単にアプリケーターの中心から放射状に広がることが可能である。組成物は、握持部を有する面の反対側に配置される。衛生器具の壁面への適用後、アーム間の部分（４）によって、水が組成物と接触する。図４のアプリケーターは、（握持部を含むプラットフォームの反対側に）付着性組成物が配置されるプラットフォームの形状を有し、図１のアプリケーターと同様に働く。
【００５３】
本発明に係るアプリケーターは、以下の工程に従って作製することができる。
−適切な溶媒または溶媒の混合物中に成分を混合すること、
−得られた形状物を硬化させるために、例えば加熱することによって、溶媒の少なくとも一部を除去すること。
−得られたペーストを、例えば成型し必要に応じて押圧することによって、所望の形状に成形すること。
【００５４】
成形されたペーストが使用するのに充分に硬くなるまで溶媒を除去する。
【００５５】
当業者は、検討された本発明のための最小硬度を従来のやり方で同定できる。
【００５６】
アプリケーターは、作製されると、付着性組成物に取り付けることができる。最も好ましくは、付着性組成物は、一回の使用分の洗浄剤組成物である。本発明に適する洗浄剤の例は、本分野において知られている。
【００５７】
典型的には、それらは、その内容が参照により本明細書に組み込まれる文献である、米国特許第６６６７２８６号明細書または国際公開第２００８／１００３９３号明細書に開示されている。
【００５８】
これらの洗浄剤組成物は、通常、以下の付着促進剤の少なくとも１つまたは数種を含む：付着促進剤とは、ポリエチレングリコール、セルロース、多糖類、デンプン、ここで、セルロースは、カルボキシメチルセルロースナトリウム、ヒドロキシエチルセルロース、およびヒドロキシプロピルセルロースからなる群から選択され、多糖類は、キサンタンガム、寒天、ゼラチンゴム、アカシアゴム、イナゴマメ粉末、グアーガム、およびそれらの組み合わせからなる群から選択され；アルギン酸塩類、ジウレタン類、ゼラチン、ペエチン、オレイルアミン類、アルキルジメチルアミンオキシド類、アルキルエチルスルフェート類、アルキルエトキシレート類、ステアレート類、アルカリ金属ステアレート類およびそれらの組み合わせである。
【００５９】
これらの例に限定されることなく、アプリケーターの形状から成形される空洞に組成物を加えることによって、洗浄剤組成物自体にアプリケーターの少なくとも一部を埋めこんで２つの要素間の密着性を向上させることによって、または使用量の洗浄剤の表面上に直接アプリケーターを定着することによって、上記組み合わせがなされ得る。所望の最終製品に対して２つの要素を組み合わせる処理を向上させるために、洗浄剤組成物を軟化あるいは融解させてもよい。
【００６０】
一実施形態によれば、包装および貯蔵の目的のために、最終製品はその付着性部分上に膜が付される。典型的には、各製品は、個別に膜上に配置されてもよく、同じ膜上に他の製品と共に配置されてもよい。例えば、膜は、シリコーンで形成されていてもよい。
【００６１】
適用の前に、利用者は、片方の手の指で、すなわち製品の一方の面上で利用可能な握持部部分で製品をつかみ、他方の手で製品の反対側にある製品の付着性表面から膜を剥離し、適切な圧力で衛生器具の壁面上に製品を直接適用する。製品が塗付されると、利用者は、それを使用する前に、握持部を放すか、またはねじって切断する必要があるだけである。
【００６２】
本発明において、特に明記しない限り、全ての百分率はアプリケーターの総重量に基づいた重量比である。
【００６３】
以下の実施例によって本発明が示されるが、本発明を限定するものではない。
【実施例】
【００６４】
以下の組成物を製造し、トイレの便器中で試験した。それらの各々は、製品の存続期間にわたって、フラッシュの水で容易に溶解する。
【００６５】
【表１】
2016517282.tif 000003
【００６６】
【表２】
2016517282.tif 000004
【００６７】
【表３】
2016517282.tif 000005
【００６８】
【表４】
2016517282.tif 000006
【００６９】
【表５】
2016517282.tif 000007
【００７０】
上記のアプリケーター組成物は、堅固であるが、例えばトイレの便器などの衛生壁面上に容易に塗付するための充分な可塑性を有する、異なる洗浄剤組成物と共に用いてもよい。以下に洗浄剤組成物の例を挙げる。
【００７１】
【表６】
2016517282.tif 000008
【図１】
2016517282.tif 000009
【図２】
2016517282.tif 000010
【図３】
2016517282.tif 000011
【図４】
2016517282.tif 000012
【図５】
2016517282.tif 000013
【図６】
2016517282.tif 000014
【国際調査報告】
2016517282.tif 000015
2016517282.tif 000016